(57)【要約】【課題】  気体の他に液体や固形物を含む吸入流体をも処理できるように、各種の吸入流体を処理対象として処理を行うことができるものでありながら、装置全体の大型化を避け、構造簡単な掃除機を提供する。【解決手段】  吸入流体の旋回用流路を構成するように二重筒状に形成した導風筒体２０と外囲筒体２１との下端側に、それらの両筒体との間に間隔を隔てて遮蔽板２３を対向配置するとともに、旋回用流路の外囲筒体２１の下端と遮蔽板２３との間から外囲筒体２１の半径方向での外方側へ旋回流動する被除去物に旋回抵抗を与えながら遮蔽板２３よりも下方へ向けて案内するガイド部材５０を備えて、下方の集塵容器６に被除去物を導く塵埃案内部５を構成してある。【選択図】    図４
2008104734.tif 000002
【特許請求の範囲】
【請求項１】
吸込み口体を介して吸い込まれた吸入流体から被除去物を除去処理し、処理後の吸入流体を排気口から排出するための処理経路を備えた掃除機本体と、処理経路で吸入流体の流れから分離された被除去物を貯留する集塵容器と、前記掃除機本体および集塵容器を搭載する移動用台車とで構成された掃除機であって、
掃除機本体の内部に設けられる処理経路には、吸入口から吸い込まれた吸入流体の旋回流を生じさせて塵埃を分離させる旋回除塵部と、前記吸入流体を排気口側へ強制送りする起風部とを備えるとともに、
前記旋回除塵部を、円筒状の導風筒体とその外側の外囲筒体との間に外部から導入した吸入流体の旋回用流路を設けた二重筒状に形成し、内側の導入筒体の下端側から導入筒体内部を通して吸入流体を処理経路の下手側へ案内するように構成し、
前記導風筒体および外囲筒体の下端側に、それらの両筒体との間に間隔を隔てて遮蔽板を対向配置するとともに、旋回用流路の外囲筒体の下端と前記遮蔽板との間から外囲筒体の半径方向での外方側へ旋回流動する被除去物に旋回抵抗を与えながら遮蔽板よりも下方へ向けて案内するガイド部材を備えて、下方の集塵容器に被除去物を導く塵埃案内部を構成してあることを特徴とする掃除機。
【請求項２】
起風部よりも吸入流体の流路上手側にフィルタ処理部を設け、前記起風部を囲繞するケーシングの外側に突出させた排気用筒体を、ケーシング壁面に設けられた排気用開口からの排気の吹き出し方向に対して交差するように屈曲した形状に形成し、その屈曲させた排気用筒体内部の排気流路に吸音材を設けてある請求項１記載の掃除機。
【請求項３】
ガイド部材の内径側端縁にナイフエッジ部分を設けてある請求項１または２記載の掃除機。
【発明の詳細な説明】
【技術分野】
【０００１】
本発明は、工場や各種事業所等で発生する粉塵や埃などの微細な塵埃や、工場等で発生する切り粉や加工屑、あるいは事務所や店舗で発生するゴミ等の比較的大きめの塵埃、さらには洗浄水や油類などの液体をも吸引除去できるように、これらの気体や固形物とともに吸引される洗浄水や油などの液体を含む流体（以下、本明細書中では「吸入流体」と呼称する。）を処理対象として、その吸入流体中から塵埃や液体などの被除去物を除去するための掃除機に関する。
【背景技術】
【０００２】
この種の吸入流体を処理する掃除機としては、掃除機本体内を、ブロワを利用した真空吸引手段と多数のサイクロンを利用した旋回選別手段とを設けて、塵埃や液体を含む流体を吸引および選別できるようにした構造のものがある（特許文献１参照）。
また、液体を含む流体を吸い込み可能とした掃除機としては、貯水容器内にフロート装置を設けてファンモータ側への液体の吸い込みを抑制するようにした構造のものがある（特許文献２参照）
【０００３】
【特許文献１】特開２００５−３４２３３４号公報（段落「００１４」、段落「００１６」、段落「００１８」、「図１」、「図２」、「図４」）
【特許文献２】特開２００６−２０４４５８号公報（段落「００２６」、段落「００２９」、段落「００１８」、「図１」、「図２」）
【発明の開示】
【発明が解決しようとする課題】
【０００４】
上記の特許文献１に示される技術によれば、多重のサイクロン部を用いて比較的高効率での除塵を行えるものであるが、多重のサイクロン部を設けるために旋回除塵部がかなり縦長の構造となり、下部の集塵容器の容量が旋回除塵部の存在によって削減されてしまうという不具合がある。仮に集塵容器の容量を十分に確保しようとすれば、装置全体の高さ高くなり大型化し易いという問題がある。
【０００５】
特許文献２に示される技術によれば、集塵用の貯水容器に入り込むフロート装置とその案内部を設けたものであるから、フロートを用いた弁構造を採用することによって液体回収容器内の容量が制限されるという不具合を有することに加え、処理対象が液体でなければフロート装置が効果的に作用し難いものであり、処理対象が液体と雑多な塵埃の混合物であるような場合には、フロートによる弁構造が充分に機能しないという問題がある。
【０００６】
本発明の目的は、気体の他に液体や固形物を含む吸入流体をも処理できるように、各種の吸入流体を処理対象として処理を行うことができるものでありながら、装置全体が大がかりなものとなることを回避して、構造簡単な掃除機を提供することにある。
【課題を解決するための手段】
【０００７】
上記目的を達成するために講じた本発明による掃除機では、下記の技術手段を講じたものである。
〔解決手段１〕
請求項１に記載のように、吸込み口体を介して吸い込まれた吸入流体から被除去物を除去処理し、処理後の吸入流体を排気口から排出するための処理経路を備えた掃除機本体と、処理経路で吸入流体の流れから分離された被除去物を貯留する集塵容器と、前記掃除機本体および集塵容器を搭載する移動用台車とで構成された掃除機において、
掃除機本体の内部に設けられる処理経路には、吸入口から吸い込まれた吸入流体の旋回流を生じさせて塵埃を分離させる旋回除塵部と、前記吸入流体を排気口側へ強制送りする起風部とを備えるとともに、
前記旋回除塵部を、円筒状の導風筒体とその外側の外囲筒体との間に外部から導入した吸入流体の旋回用流路を設けた二重筒状に形成し、内側の導入筒体の下端側から導入筒体内部を通して吸入流体を処理経路の下手側へ案内するように構成し、
前記導風筒体および外囲筒体の下端側に、それらの両筒体との間に間隔を隔てて遮蔽板を対向配置するとともに、旋回用流路の外囲筒体の下端と前記遮蔽板との間から外囲筒体の半径方向での外方側へ旋回流動する被除去物に旋回抵抗を与えながら遮蔽板よりも下方へ向けて案内するガイド部材を備えて、下方の集塵容器に被除去物を導く塵埃案内部を構成してあることを特徴とする。
【０００８】
〔作用〕
解決手段１にかかる発明の技術手段を講じたことによる作用は次の通りである。
内側の導風筒体と外側の外囲筒体との間の旋回用流路に導入された吸入流体が、その旋回用流路の下端近く、つまり外囲筒体の下端に達すると、旋回用流路で与えられた旋回エネルギーによって、旋回流の最外側に多く含まれる質量の大きな塵埃や液体を効率良く旋回流の外側へ脱出除去させることになる。
このとき、外囲筒体の外側には、外囲筒体の半径方向での外方側へ旋回流動する被除去物に旋回抵抗を与えながら遮蔽板よりも下方へ向けて案内するガイド部材を備えて、下方の集塵容器に被除去物を導く塵埃案内部を設けてあるので、旋回しながら飛び出した被除去物を、下方側へ案内するガイド部材を利用して、被除去物の旋回エネルギーを低減させながら集塵容器へ導入させることができる作用がある。
【０００９】
さらに、本発明の解決手段１にかかる構成によると、前記導風筒体および外囲筒体の下端側に、それらの両筒体との間に間隔を隔てて遮蔽板を対向配置しているので、導風筒体内の吸引流路の吸引作用や、外囲筒体との間の旋回流路の旋回に伴う吸引作用が集塵容器内の空間に対して直接には作用しない。したがって、仮に軽い粉塵や水分が或る程度舞い上がったとしても、導風筒体の下端開口は下方側からみると遮蔽板で遮蔽されており、舞い上がった粉塵や水分が集塵容器側から導風筒体内へ直接流入することは避けられる。そして、粉塵や水分が遮蔽板の外側を迂回しようとすると、半径方向の外側へ向かう旋回流の流れに衝突して外側へ押し出されるので、導風筒体の下端開口側への流入に対する抑止作用が働くことになる。
【００１０】
旋回除塵部から集塵容器への塵埃排出に際して、本発明では前述のガイド部材と遮蔽板とを備えた塵埃案内部によって行うようにしたものであるから、従来のように多重サイクロン部を設けたり、フロート装置を用いるようにした構造のものに比べて、それらの多重サイクロン部やフロート装置によって集塵容器内部の容積が狭められることがない。それ故、集塵容器の内容積のほとんど全部を被除去物の貯留のために有効に活用することができる。
【００１１】
〔解決手段２〕
本発明における請求項２に記載の掃除機は、前記請求項１にかかる発明の構成に加えて、起風部よりも吸入流体の流路上手側にフィルタ処理部を設け、前記起風部を囲繞するケーシングの外側に突出させた排気用筒体を、ケーシング壁面に設けられた排気用開口からの排気の吹き出し方向に対して交差するように屈曲した形状に形成し、その屈曲させた排気用筒体内部の排気流路に吸音材を設けてある点に特徴がある。
【００１２】
〔作用〕
このように、掃除機において主たる騒音源となる起風部の上手側流路では、フィルタ処理部に設けられるフィルタを吸音材として利用し、起風部の下手側流路では、ケーシングの外側に突出させた排気用筒体の内部に吸音材を設け、かつ排気用筒体内の経路を、排気用開口からの排気の吹き出し方向に対して交差するように屈曲した形状に形成することによって、騒音を吸収し易く構成している。
〔解決手段３〕
本発明における請求項３に記載の掃除機は、前記請求項１または２にかかる発明の構成に加えて、ガイド部材の内径側端縁にナイフエッジ部分を設けてあるという技術手段を備えた点に特徴がある。
【００１３】
〔作用〕
上記の技術手段を講じたことによる作用は次の通りである。
すなわち、ガイド部材の内径側端縁にナイフエッジ部分を設けてあることにより、旋回流の最外側から外囲筒体の外方側へ飛び出そうとする被除去物のうち、比較的大きくてガイド部材に絡まったり、付着したりする被除去物を、内径側端縁に形成されたナイフエッジで切断して、その絡まりや付着を回避することが可能となる。
【発明の効果】
【００１４】
〔解決手段１に関する効果〕
解決手段１にかかる発明によれば、旋回流の最外側に多く含まれる質量の大きな塵埃や液体を効率良く旋回流の外側へ脱出除去させる領域を外囲筒体の下端側に備えるとともに、旋回しながら外方側へ流動する被除去物に旋回抵抗を与えながら遮蔽板よりも下方へ向けて案内するガイド部材を備えることによって、被除去物の旋回エネルギーを低減させながら集塵容器へ導入させることができる。
したがって、旋回流路からの被除去物の集塵容器側への導入が効率良く行われるとともに、集塵容器内に堆積した被除去物が軽い粉塵であっても、集塵容器内での被除去物の旋回が続いて再び旋回用流路側へ舞い上がるというような事態の発生を抑制し易い効果がある。
【００１５】
さらに、導風筒体および外囲筒体の下端側に遮蔽板が対向配置されていて、導風筒体の下端開口側へ粉塵や水分が流入することに対する抑止作用が働いているので、旋回除塵部から流路下手側への粉塵や水分の流れ込みが極力抑制され、流路下手側に除塵フィルタを配設した場合に、その性能が長期間にわたって良好な状態に維持される利点がある。
【００１６】
また、上述のように集塵容器内での被除去物の連れ回りや、粉塵や水分が導風筒体の下端開口側へ流入することを抑止する手段を、構造簡単でコンパクトに構成して、集塵容器の内容積のほとんど全部を被除去物の貯留のために有効に活用することができるので、使い勝手が良く、装置全体の大型化を避ける上でも有効な構造の掃除機を得られたものである。
【００１７】
〔解決手段２に関する効果〕
解決手段２にかかる発明の構成によれば、前記解決手段１にかかる発明の効果に加えて、次の効果をも奏する。
すなわち、起風部よりも流路上手側である吸気側では吸入流体の流れがケーシング内方へ向かうものであり、吸気口側からの騒音の漏れ出しはさほど大きくないので、除塵用のフィルタを吸音材の代用にして、消音のための構造の簡素化を図っている。
そして、吸入流体の流れがケーシングの外側へ向かう排気側では、吸音材と、経路の曲がりで効率良く吸音させるように構成している。
このようにして、単に吸音材を用いて消音を図るのではなく、吸入流体の流れ方向と、除塵処理のために用いられるフィルタの位置や、排気方向と経路の曲がり部の位置などの組み合わせを、構造の簡素化と小型化のための手段として用いている。
【００１８】
〔解決手段３に関する効果〕
解決手段３にかかる発明の構成によれば、前記解決手段１または２にかかる発明の効果に加えて、次の効果をも奏する。
すなわち、旋回流の最外側から外囲筒体の外方側へ飛び出そうとする被除去物を集塵容器に案内するためにガイド部材を用いても、そのガイド部材に絡まったり、付着したりする被除去物を、内径側端縁に形成されたナイフエッジで切断して、絡まりや付着を回避することが可能となるので、塵埃案内部の機能低下を回避することができる。
【発明を実施するための最良の形態】
【００１９】
以下に、本発明の実施の形態を図面の記載に基づいて説明する。
〔全体構成〕
本発明の掃除機は、図１〜図４に示すように、掃除機本体１と、その掃除機本体１で集められた塵埃を貯留する集塵容器６と、掃除機本体１及び集塵容器６を載置支持状態で運搬するための移動用台車７とで構成されている。
【００２０】
〔掃除機本体〕
掃除機本体１は、図４に示すように、吸込み口体９を介して取り入れ口１１からケーシング１０の内部に吸入流体を吸い込み、この吸入流体から被除去物を除去した後、これを排出口１２から排出するように、内部に吸入流体の気流を生じさせるための起風部４を備え、かつ、吸入流体を通過させる途中で塵埃を除去処理する処理経路Ｒを備えたものである。
【００２１】
上記ケーシング１０内における処理経路Ｒには、取り入れ口１１から吸引導入された吸入流体をケーシング１０内で旋回流動させながら除塵する旋回除塵部２と、この旋回除塵部２で除塵処理された吸入流体の流れの下手側位置で、吸入流体に残存する塵埃をフィルタにより捕捉するフィルタ処理部３と、これらの旋回除塵部２とフィルタ処理部３とに対して吸引力を作用させるように設けた起風部４とが設けられている。
ケーシング１０内には、前記処理経路Ｒからは外れるが、前記旋回処理部２から集塵容器６に向けて被除去物を案内する塵埃案内部５も設けられている。
【００２２】
ケーシング１０内の位置関係では、下層に旋回除塵部２が、中間層にフィルタ処理部３が、上層の起風部４がそれぞれ隔壁１３，１４，１５,１６で区画形成され、これらが上下方向で層状に配設されているとともに、前記処理経路Ｒから外れる前記塵埃案内部５がケーシング１０の最下方に位置させてある。
そして、前記処理経路Ｒからは外れた位置であり、前記ケーシング１０よりも下側位置に、掃除機本体１の外部に相当する集塵容器６を配置して被除去物を貯留するように構成してある。
【００２３】
前記各隔壁１３、１４，１５,１６のうち、最も下側の隔壁１３は、円板状の板部材の中央部に通気用開口１３ａを備えており、最上部の隔壁１６も図５に示すように中央部に通気用の多数の小孔１６ａを備えている。
中間の隔壁１４，１５は、図４に示すように、中間の縦壁１４ａを介して両者が一体に形成されることにより、起風部４で用いられる電動ファン４０を駆動する電動モータ４４への冷却用外気の取り入れ流路ｒ１を構成しているものであり、上側の隔壁１５に電動モータ４４の下部の冷却風取り入れ口４４ａが臨む開口を形成してある。
【００２４】
〔旋回除塵部〕
図３および図４に示すように、ケーシング１０内における旋回除塵部２は、ケーシング１０の一側面に設けた取り入れ口１１から吸い込まれた吸入流体を、ケーシング１０内で旋回させて、サイクロン現象を利用して旋回流から塵埃を分離し除去するためのものであり、下端側に導入口２２を有した円筒状の導風筒体２０と、その導風筒体２０の外側に所定間隔を隔てて同芯状に配設された外囲筒体２１とで構成されている。この外囲筒体２１は、前記ケーシング１０を兼ねている。
前記導風筒体２０の内側には、前記取り入れ口１１から吸い込まれた吸入流体を、処理経路Ｒの下手側へ移行させるための吸入流体導入経路を形成してあり、導風筒体２０の下端２０ａに開口する導入口２２から吸入流体を取り込むように構成されている。
また、前記外囲筒体２１の下端２１ａは、図４および図６に示されているように、前記導風筒体２０の下端２０ａよりも少し上方に位置していて、その外囲筒体２１の下端２１ａから、半径方向外方側へ向けて前記ケーシング１０の下端スカート部１０Ａが拡がり、前記下端２１ａから下方へは、後述する遮蔽板２３を支持するためのステー２４が延出されている。
【００２５】
〔フィルタ処理部〕
フィルタ処理部３は、前記導風筒体２０の上端開口に対向して設けられたプレフィルタ３０と、そのプレフィルタ３０の上面との間に所定間隔を隔てて位置する前記隔壁１３の上側に載置支持された２次フィルタ３１とで構成されている。
前記プレフィルタ３０は、全体が円盤状に形成された樹脂製の吸着材などからなるもので、旋回除塵部２で除去しきれない塵埃を除去しようとするものである。
前記２次フィルタ３１は、、前記プレフィルタ３０でも処理できなかったさらに微細な塵埃を除去しようしたものであり、全体が環状に構成され、前記隔壁１３の中央の開口１３ａを介して取り込まれた吸入流体を、環状のフィルタ部分を通過させて処理するように配置され、ヘパフィルタ（ＨＥＰＡフィルタ）などで構成されている。
【００２６】
〔起風部〕
起風部４は、図４および図５に示すように、電動ファン４０と、ファンケース４１と、前記隔壁１５，１６とで構成されている。
前記電動ファン４０は、上端側に入り口開口４０ａが形成され、内部に上下２段の羽根体４２，４３を備え、下段の羽根体４３の外周に対向する周面に多数の排気口４０ｂが形成され、上下の羽根体４２，４３の間に連通孔付きの仕切壁４０ｃを備えた２連羽根式の構造に構成されている。前記羽根体４２，４３を駆動する電動モータ４４の駆動軸は、前記羽根体４２，４３が設けられた側とは反対側に、前記電動モータ４４を冷却するための小型の羽根体４５を備えている。また、電動モータ４４の下端には、前記羽根体４５に対する冷却風取り入れ口４４ａを設けてある。
【００２７】
ファンケース４１は、前記電動ファン４０の外周側を囲繞する筒状ケース部４６と、その筒状ケース部４６をケーシング１０に取付固定するための箱状ケース部４７と、前記電動ファン４０の上下を覆う前記隔壁１５，１６とで構成されている。
すなわち、図４および図５に示すように、筒状ケース部４６の軸線方向の中間部に電動ファン４０の中間部位を支持する内向き鍔状部分４６ａを設けてあり、筒状ケース部４６の上端部に電動ファン４０の上側を覆う最上位置の隔壁１６の取付部を備え、下端部に電動ファン４０の下側に対向する隔壁１５の取付部を備えている。
【００２８】
そして、このファンケース４１の箱状ケース部４７は、筒状ケース部４６側の端部で筒状ケース部４６の内部空間と連通する排気用ケース部４７Ａと、電動モータ４４へ冷却風取り入れ口４４ａに連なる冷却風導入用ケース部４７Ｂとが２段に重なる状態に形成されている。
この箱状ケース部４７の外周部分には、ケーシング１０に対する接続用の取付ブラケット４８を設けてあり、取付ブラケット４８よりもケーシング１０の外方に突出する部分は、吸入流体の処理経路Ｒの終端となる排気用筒体８Ａ、および電動モータ４４への冷却用外気の取り入れ流路ｒ１を形成する吸気用筒体８Ｂを構成している。
前記排気用ケース部４７Ａおよび冷却風導入用ケース部４７Ｂの内周部分には、それぞれ吸音材４９を貼着してあり、電動ファン４０が発生する騒音を吸収し易く構成してある。また、ケーシング１０の外方へ突出した部分では、排気用の経路および電動モータ４４への冷却風取り入れ用の経路が屈曲するように、前記排気用筒体８Ａ、および吸気用筒体８Ｂを屈曲させて構成してある。
前記吸気用筒体８Ｂ内の冷却用外気の取り入れ流路ｒ１から取り込まれた電動モータ４４の冷却用外気は、電動モータ４４の上端側で前記電動ファン４０との境界付近に形成された冷却風出口４４ｂから排出され、この冷却風出口４４ｂが前記排気用ケース部４７Ａに開放されていることから、冷却用外気の排出流路ｒ２が処理経路Ｒの終端側に合流して排気用筒体８Ａから排出されるように構成されている。
【００２９】
〔塵埃案内部〕
前記旋回除塵部２で除去された塵埃を集塵容器６側へ案内するための塵埃案内部５は次のように構成されている。
すなわち、図３、図４、及び上下を反転させて図示した図６に示されているように、旋回除塵部２の旋回用流路から外側へ外れた被除去物を集塵容器６側へ案内するための塵埃案内部５は、ケーシング１０の下端側のスカート部１０Ａと、その内面側に設けられるガイド板５０とによって構成されている。
前記ガイド板５０は、前記外囲筒体２１の下端２１ａから、半径方向外方側へ向けて延出されており、図３および図６，７に示すように、旋回除塵部２の旋回用流路から飛び出した吸入流体の流路を、旋回方向の下手側に至るほど徐々に狭めるようにスカート部１０Ａの内面に近づく形状に形成され、その部位で旋回流に旋回抵抗が与えられ、失速した旋回流から被除去物が脱落して下方の集塵容器６に収容されるように構成されている。
【００３０】
このガイド部材５０の外囲筒体２１側の端部は、図７に示すように先鋭なナイフエッジ５１を形成して、ステー２４に溶接固定されており、スカート部１０Ａ側の端部はスカート部１０Ａの内面側に溶接固定されている。
【００３１】
〔吸込み口体〕
吸入流体が供給される前記取り入れ口１１に対しては、吸込み口体９が着脱自在に連結されている。この吸い込み具９は、一般の掃除機で用いられているような、蛇腹状ホース９ａと使用者が把持して操作するための支持筒９ｂ、及びその先端側の吸い込みノズル９ｃを備えて構成される周知の構造のものである。
【００３２】
〔集塵容器〕
ケーシング１０の下部スカート部１０Ａの下側には、前記塵埃案内部５から導入される集塵容器６が設けてあり、内部を透視し易い透明または半透明材料で構成されている。
この容器６は、図１および図３に示すように、有底円筒状の容器本体６０と、その上側を覆う前記ケーシング１０の下端側のスカート部１０Ａとで構成され、周方向複数箇所に形成したバックルなどの接続具６１を介して前記ケーシング１０の下部スカート部１０Ａの下端側に対して、着脱自在に連結されている。
【００３３】
〔移動用台車〕
上記の掃除機本体１及び集塵容器６を支持するための移動用台車７は、図１乃至図４に示すように、集塵容器６を搭載する載置台７０と、図１および図３に仮想線で示すパイプ状のハンドルフレーム７１とで構成されている。
前記載置台７０は、集塵容器６の底部を嵌め込み状態に載置する台座７２と、その台座７２の外周に連結されたリング状フレーム７３と、リング状フレーム７３の周方向５箇所に分散配置されたキャスター輪７４とで構成され、前記台座７２とリング状フレーム７３とは、周方向で前記キャスター輪７４の配設された箇所の近くで連結用ブラケット７５により連結されている。
【００３４】
〔他の実施の形態〕
［１］  上記実施の形態では、フィルタ処理部３を旋回除塵部２と起風部４との間に設けたが、このような配置構造に限らず、例えば、旋回除塵部２の直上箇所に起風部４を設け、起風部４を迂回するように、処理経路Ｒとなる上昇流路を起風部４の外周側とケーシング１０との間に設け、起風部４の上側にフィルタ処理部３を配設し、フィルタ処理部３の下側に位置する起風部４を経て排出口１２から処理済みの吸入流体を排出するように構成してもよい。
このとき、ケーシング１０の天井部を開閉できるように構成しておくことにより、フィルタの交換作業等を楽に行い易くなる。
【００３５】
［２］  上述の各実施の形態で用いるフィルタの種類としては、上述のようにプレフィルタ３０と２次フィルタ３１との２種を用いたものに限らず、何れか一方、もしくは別のフィルタを追加的に用いても良い。
また、フィルタ処理部３自体は必ずしも必要なものではなく、さほど排気の清浄化が要望されない場合には、このフィルタ処理部３を省略することも可能である。
【００３６】
［３］  本発明の上述の実施の形態では、ガイド部材５０を構成するにあたり、図７に示すように、板面を上下方向に沿わせた平板材を水平方向で波形に湾曲させて構成したものであるが、ガイド部材５０の形状としてはこのような波形に湾曲した構造のものに限らず、内端側では板面が起立し、この状態から外端側に至るにしたがって徐々に板面を水平側へ傾倒させて、被処理流体を徐々に下向きに、もしくは上向きに案内するように捻ってもよい。
また、ガイド部材５０全体を平板材ではなく半割パイプ状の部材で形成して、その凹入した側の湾曲面を案内ガイド面として、前述の平板材で構成されたものと同様に平面視で波形に湾曲させた形状のものであってもよく、このように構成すれば、吸入流体の上下方向への拡散にも抵抗を与えて、より一層被除去物に対する旋回抵抗を増すことができる。
【図面の簡単な説明】
【００３７】
【図１】掃除機の全体を示す正面図
【図２】掃除機の全体を示す右側面図
【図３】掃除機の全体を示す平面図
【図４】掃除機の全体を示す上下方向断面図
【図５】掃除機本体の分解斜視図
【図６】塵埃案内部を示す斜視図
【図７】塵埃案内部を示す平面図
【符号の説明】
【００３８】
１          掃除機本体
２          旋回除塵部
３          フィルター処理部
４          起風部
５          塵埃案内部
６          集塵容器
７          移動用台車
８Ａ        排気用筒体
８Ｂ        吸気用筒体
９          吸込み口体
１０        ケーシング
１０Ａ      下端スカート部
１１        取り入れ口
１２        排出口
２０        導風筒体
２１        外囲筒体
２３        遮蔽板
４９        吸音材
５０        ガイド板
５１        ナイフエッジ
Ｒ          処理経路
【図１】
2008104734.tif 000003
【図２】
2008104734.tif 000004
【図３】
2008104734.tif 000005
【図４】
2008104734.tif 000006
【図５】
2008104734.tif 000007
【図６】
2008104734.tif 000008
【図７】
2008104734.tif 000009